(57)【要約】【課題】排気の噴出気流による反動を抑えて安定して操作可能な電気掃除機システムを提供すること。【解決手段】把持部１２及び排気口部１４を有する電気掃除機２と、流通面積が相対的に大きい入口部としての取付部５１と流通面積が相対的に小さい出口部としての受筒部５２とを有する排気利用アダプタ５０と、排気アタッチメント６０と、を有する電気掃除機システム１において、取付部５１が電気掃除機２の排気口部１４に接続され、受筒部５２にアタッチメント６０が接続されると共に、アダプタ５０が排気口部１４に取り付けられた状態で、取付部５１の第一中心Ｘ１に対し受筒部５２の第二中心Ｘ２が把持部１２側に偏心して設けられることで、排気の噴出位置を把持部１２の近くにすることができるので、噴出気流を利用する際に、この噴出気流による反動を抑えて安定して操作することができる。【選択図】図８
2019205547.tif 000002
【特許請求の範囲】
【請求項１】
把持部及び排気口部を有する電気掃除機と、流通面積が相対的に大きい入口部と流通面積が相対的に小さい出口部とを有する排気利用アダプタと、排気アタッチメントと、を有する電気掃除機システムにおいて、
前記アダプタの入口部が前記電気掃除機の排気口部に接続され、前記アダプタの出口部に前記アタッチメントが接続されると共に、
前記アダプタが前記排気口部に取り付けられた状態で、前記入口部の第一中心に対し前記出口部の第二中心が前記把持部側に偏心して設けられることを特徴とする電気掃除機システム。
【請求項２】
前記電気掃除機の排気口部又は前記アダプタの入口部の何れか一方に、結合のための係合凹部が複数形成され、何れか他方に結合のための係合凸部が複数形成されると共に、これら係合凹部と係合凸部とが不等間隔で設けられることを特徴とする請求項１記載の電気掃除機システム。
【請求項３】
前記電気掃除機が電源コードを有すると共に、前記アダプタが前記排気口部に取り付けられた状態で、前記出口部が反電源コード側に偏って設けられることを特徴とする請求項１乃至２記載の電気掃除機システム。
【発明の詳細な説明】
【技術分野】
【０００１】
本発明は、掃除機の排気を利用して塵埃を吹き飛ばすことができる電気掃除機システムに関するものである。
【背景技術】
【０００２】
従来、この種の電気掃除機システムとしては、把持部を有する掃除機本体の排気口にアダプタを取り付け、このアダプタにアタッチメントを接続するものが知られている（例えば、特許文献１参照。）。そして、前記アダプタは、広部としての取付部と、狭部としての受筒部とを有する。なお、前記取付部と受筒部は同軸状である。また、前記アダプタの受筒部に取り付けられるアタッチメントとしては、屈曲性のない延長パイプや屈曲可能な延長ホースが用いられる。
【先行技術文献】
【特許文献】
【０００３】
【特許文献１】特開２０１６−４９１４１号公報
【発明の概要】
【発明が解決しようとする課題】
【０００４】
しかしながら、このようなアダプタは、アタッチメントとして延長パイプを用いたりアタッチメントを接続せずに使用したりする場合、前記把持部から離れた位置にある受筒部から勢いよく排気が噴出するので、この排気の反動により操作が不安定になる恐れがあった。
【０００５】
本発明は以上の問題点を解決し、排気の噴出気流による反動を抑えて安定して操作可能な電気掃除機システムを提供することを目的とする。
【課題を解決するための手段】
【０００６】
本発明の請求項１に記載の電気掃除機システムは、把持部及び排気口部を有する電気掃除機と、流通面積が相対的に大きい入口部と流通面積が相対的に小さい出口部とを有する排気利用アダプタと、排気アタッチメントと、を有する電気掃除機システムにおいて、前記アダプタの入口部が前記電気掃除機の排気口部に接続され、前記アダプタの出口部に前記アタッチメントが接続されると共に、前記アダプタが前記排気口部に取り付けられた状態で、前記入口部の第一中心に対し前記出口部の第二中心が前記把持部側に偏心して設けられるものである。
【０００７】
また、本発明の請求項２に記載の電気掃除機システムは、請求項１において、前記電気掃除機の排気口部又は前記アダプタの入口部の何れか一方に、結合のための係合凹部が複数形成され、何れか他方に結合のための係合凸部が複数形成されると共に、これら係合凹部と係合凸部とが不等間隔で設けられるものである。
【０００８】
更に、本発明の請求項３に記載の電気掃除機システムは、請求項１乃至２において、前記電気掃除機が電源コードを有すると共に、前記アダプタが前記排気口部に取り付けられた状態で、前記出口部が反電源コード側に偏って設けられる
【発明の効果】
【０００９】
本発明の請求項１に記載の電気掃除機システムは、以上のように構成することにより、排気による噴出気流の噴出位置を前記把持部の近くにすることができるので、噴出気流を利用する際に、この噴出気流による反動を抑えて安定して操作することができる。
【００１０】
なお、前記電気掃除機の排気口部又は前記アダプタの入口部の何れか一方に、結合のための係合凹部が複数形成され、何れか他方に結合のための係合凸部が複数形成されると共に、これら係合凹部と係合凸部とが不等間隔で設けられることで、前記出口部が確実に前記把持部側に偏った状態で前記アダプタを前記排気口部に取り付けることができる。
【００１１】
また、前記電気掃除機が電源コードを有すると共に、前記アダプタが前記排気口部に取り付けられた状態で、前記出口部が反電源コード側に偏って設けられることで、前記電源コードが前記アタッチメントと絡みにくく、容易に操作することができる。
【図面の簡単な説明】
【００１２】
【図１】本発明の一実施形態を示す電気掃除機の側面図である。
【図２】同、外殻体と電動送風機との位置関係を示す説明図である。
【図３】同、外殻体の段差部の拡大図である。
【図４】同、不使用時の設置状態を示す側面図である。
【図５】同、不使用時の他の設置状態を示す側面図である。
【図６】同、中心軸線と直交する方向から見た電動送風機の外観図である。
【図７】同、中心軸線と直交する他の方向から見た電動送風機の外観図である。
【図８】同、電気掃除機に排気利用アダプタ及び排気アタッチメントを取り付けた電気掃除機システムの側面図である。
【図９】同、電気掃除機システムの不使用時の設置状態を示す側面図である。
【図１０】同、電気掃除機の背面図である。
【図１１】同、アダプタの正面図である。
【発明を実施するための形態】
【００１３】
以下、本発明の実施形態について、図１乃至図１１に基づいて説明する。なお、本実施形態において、図１及び図２における左を前、右を後とする。また、図１及び図２における上下を以下の説明における上下とする。１は電気掃除機システムである。この電気掃除機システム１は、電気掃除機２と、排気利用アダプタ５０と、排気アタッチメント６０とを有する。
【００１４】
前記電気掃除機２は、掃除機本体１０と、集塵容器４０とを有する。前記掃除機本体１０は、胴部１１と、把持部１２とを有する。前記胴部１１は、径の異なる部分を有する略円筒状の外殻体１３を有する。そして、前記胴部１１の前側には、前記集塵容器４０が着脱可能に取り付けられる。また、前記胴部１１の後側には、排気口部１４が設けられる。更に、前記把持部１２は、前記胴部１１の上方に設けられる。そして、前記胴部１１から電源コード１５が引き出される。更に、前記胴部１１の内部には、電動送風機３０が収容される。
【００１５】
前記胴部１１の外殻体１３について詳述する。前記外殻体１３は、前述した通り、径の異なる部分を有する略円筒状に形成される。具体的には、後述する遠心ファン３２が収容されるファン収容部１６と、後述する電動機３１が収容される電動機収容部１７と、これらの間に設けられた段差部１８とを有する。なお、前記ファン収容部１６は、電動機収容部１７に比べ相対的に太い。即ち、前記電動機収容部１７は、ファン収容部１６に比べ相対的に細い。そして、前記電動機収容部１７は、前記ファン収容部１６の後方に設けられる。また、前記ファン収容部１６と電動機収容部１７と段差部１８は、中心軸線Ｘｂを基準として略同軸状に設けられる。なお、前記中心軸線Ｘｂは、前記電動送風機３０の中心軸線Ｘｍと一致する。また、前記ファン収容部１６の前方には、前記集塵容器４０を受ける受部１９が設けられる。また、前記把持部１２の後端部は、前記電動機収容部１７と一体に連結する。更に、前記把持部１２の前端部は、連結部２０によって前記受部１９と連結する。そして、前記段差部１８の下部１８Ｄには脚部２１が設けられると共に、この脚部２１に取付孔部２２が形成される。更に、この取付孔部２２には、前記電源コード１５のコードブッシュ２３が取り付けられる。このコードブッシュ２３は、自然状態、即ち外力が加わらない状態において、前記中心軸線Ｘｂ及び中心軸線Ｘｍと平行である。
【００１６】
前記排気口部１４は、円形の排気口２４と、この排気口２４を囲むように設けられた複数（本実施形態では三つ）の接地部としての脚部２５とを有する。なお、これらの脚部２５は、一つの短筒状の脚部としても良い。これらの脚部２５は、全体として前記中心軸線Ｘｂと同軸状に設けられる。そして、これらの脚部２５の外周面には、それぞれ係合凸部２６が前記中心軸線Ｘｂと直交する方向に突出して設けられる。なお、前記各係合凸部２６は、異なる角度間隔で設けられる。第一係合凹部５４１と第二係合凹部５４２の角度間隔はθ１である。第二係合凹部５４２と第三係合凹部５４３の角度間隔はθ２である。第三係合凹部５４３と第一係合凹部５４１の角度間隔はθ３である。（θ１≠θ２，θ２≠θ３，θ３≠θ１，θ１＋θ２＋θ３＝２π）更に、前記取付孔部２２から前記脚部２５の後端までの中心軸線Ｘｂ方向の距離Ｌ１は、前記コードブッシュ２３の前記取付孔部２２からの突出部分の長さＬ２よりも長い。また、前記脚部２５の突出寸法Ｌ３は、前記電源コード１５の太さＬ４よりも長い。
【００１７】
前記電動送風機３０について詳述する。この電動送風機３０は、電動機３１と遠心ファン３２とを有して構成される。前記電動機３１は、固定子３３と回転子３４と整流子３５とブラシ３６とを有する。なお、前記電動機３１の固定子３３には、回転軸の中心軸線Ｘｍからの距離が長い部分Ａと、中心軸線Ｘｍからの距離が短い部分Ｂが存在する。例えば、前記固定子３３の中心軸線Ｘｍからの寸法は、図６においてＷ１であり、図７においてＷ２である。そして、Ｗ１はＷ２よりも短い。一方、前記遠心ファン３２は、中心軸線Ｘｍと直交するあらゆる方向から見て半径Ｒが同じである。そして、前記電動送風機３０は、その遠心ファン３２が前記外殻体１３のファン収容部１６の内側に配置される。また、前記電動送風機３０は、その電動機３１が前記外殻体１３の段差部１８から電動機収容部１７にかけての内側に配置される。なお、前記電動送風機３０は、前記部分Ｂが上下で且つ前記部分Ａが左右となるように、前記外殻体１３内に収容される。従って、前記電動機３１の固定子３３の下部となる前記部分Ｂから前記段差部１８の下部１８Ｄの内面までの距離は、前記固定子３３の右部又は左部となる前記部分Ａから前記段差部１８の右部又は左部の内面までの距離よりも長い。即ち、前記段差部１８の下部１８Ｄの内側には空間的な余裕がある。このため、前記段差部１８の下部１８Ｄの脚部２１に前記取付孔部２２が設けられ、この取付孔部２２に前記電源コード１５のコードブッシュ２３が固定される。このように、前記段差部１８の下部１８Ｄから前記電源コード１５を引き出すことで、前記掃除機本体１０の内部における配線が前記電動送風機３０と干渉しないので、製造が容易である。また、前記外殻体１３を小型化することができる。更に、前記掃除機本体１０の内部における配線に無理がないので、前記掃除機本体１０内で断線が生じる虞を減ずることができる。
【００１８】
前記集塵容器４０は、前述したように、前記掃除機本体１０の受部１９に対し着脱可能に取り付けられる。そして、前記集塵容器４０は、容器本体４１と、この容器本体４１に接続される導入路４２と、前記容器本体４１内に収容される図示しないフィルタ体とを有する。なお、前記導入路４２の下部には、脚部４３が設けられる。そして、前記電気掃除機２の下部が下方となるように、床面Ｆ等に置いた際に、前記脚部４３と脚部２１とが前記床面Ｆに接する。この際、前記排気口部１４から床面Ｆまでの距離Ｌ５は、前記電源コード１５の太さＬ４よりも長い。即ち、前記電気掃除機２の下部が下方となるように、床面Ｆ等に置く際に、前記電源コード１５が邪魔になることはない。
【００１９】
前記アダプタ５０は、前記排気口部１４に対し着脱可能に取り付けられる。そして、前記アダプタ５０は、流通面積が相対的に大きい入口部としての取付部５１と、流通面積が相対的に小さい出口部としての受筒部５２と、ロックボタン５３とを有する。前記取付部５１の第一中心軸線Ｘ１は、前記アダプタ５０を前記排気口部１４に取り付けた際に、前記外殻体１３の中心軸線Ｘｂと同軸となる。一方、前記受筒部５２の第二中心軸線Ｘ２は、前記第一中心軸線Ｘ１に対し偏心している。なお、第一中心軸線Ｘ１と第二中心軸線Ｘ２は平行である。前記取付部５１の内周面には、複数の係合凹部５４が設けられる。これらの係合凹部５４は、前記排気口部１４の係合凸部２６に対応して設けられる。即ち、前記各係合凹部５４は、異なる角度間隔で設けられる。例えば、第一係合凹部５４１と第二係合凹部５４２の角度間隔は、約１２７度である。第二係合凹部５４２と第三係合凹部５４３の角度間隔は、約１０２度である。第三係合凹部５４３と第一係合凹部５４１の角度間隔は、約１３１度である。従って、前記第一係合凸部２６１が第一係合凹部５４１に、第二係合凸部２６２が第二係合凹部５４２に、第三係合凸部２６３が第三係合凹部５４３係合した状態でのみ、前記アダプタ５０が前記排気口部１４に取り付けられる。この結合状態において、前記受筒部５２の第二中心軸線Ｘ２は、前記取付部５１の第一中心軸線Ｘ１及び前記外殻体１３の中心軸線Ｘｂに対し、前記把持部１２側である上側に偏る。即ち、前記受筒部５２の第二中心軸線Ｘ２は、前記取付部５１の第一中心軸線Ｘ１及び前記外殻体１３の中心軸線Ｘｂに対し、前記電源コード１５が設けられた下側の反対側である上側に偏る。なお、図示しないが、前記各係合凹部５４はＬ字状の溝である。従って、前記アダプタ５０は、前記排気口部１４に対しバヨネット結合される。
【００２０】
前記アタッチメント６０は、前記受筒部５２に対し着脱可能に接続される。詳述すると、前記アタッチメント６０には、図示しない係合凹部が設けられ、この係合凹部に対し前記ロックボタン５３に設けられた係合爪５５が係合することで、前記アタッチメント６０が前記受筒部５２に接続される。なお、前記アタッチメント６０は、図８に示すような、全体が筒状の延長パイプ６１や、図９に示すような、ホース状の部分を有する延長ホース６２が使用可能である。
【００２１】
次に、本実施形態の作用について説明する。まず、前記電気掃除機システム１の電気掃除機２のみを使用する場合、使用者は予め前記掃除機本体１０の受部１９に前記集塵容器４０を取り付けておく。そして、前記電源コード１５を図示しない交流電源に接続し、前記把持部１２を把持して前記電動送風機３０を作動させることで、吸引掃除を行う。なお、吸引掃除は、前記導入路４２から直接塵埃を吸引するように行ってもよく、また、前記導入路４２に図示しない吸引掃除用アタッチメントを装着した状態で行ってもよい。そして、前記導入路４２から吸引された気流に含まれる塵埃は、前記集塵容器４０内で気流から分離されてこの集塵容器４０内に貯められる。塵埃が分離された気流は、前記電動送風機３０を経て前記排気口２４から前記電気掃除機２の外部に排出される。そして、吸引掃除を行う際、使用者は前記電気掃除機２の上部に設けられた前記把持部１２を把持するので、前記電気掃除機２の下部に設けられた前記電源コード１５が邪魔になることがない。
【００２２】
不使用時に、又は一時的に吸引掃除を停止して前記電気掃除機２を置く場合、幾つかの置き方がある。代表的な例として、図４に示すような、前記掃除機本体１０の脚部２１と前記集塵容器４０の脚部４３とが床面Ｆ等に接する置き方と、図５に示すような、前記電気掃除機２の排気口部１４の脚部２５が床面Ｆに接する置き方がある。前者の置き方では、前述した通り、前記排気口部１４から床面Ｆまでの距離Ｌ５が前記電源コード１５の太さＬ４よりも大きいので、前記電源コード１５が邪魔になることがない。また、前記電源コード１５が前記中心軸線Ｘｂと平行に引き出されることで、重力による僅かな屈曲があったとしても、前記コードブッシュ２３部分で前記電源コード１５が床面Ｆに当たって急激に屈曲することがない。このため、前記電源コード１５に大きなストレスが加わらない。後者の置き方では、前述した通り、前記取付孔部２２から前記脚部２５後端までの距離Ｌ１が、前記コードブッシュ２３の突出部分の長さＬ２よりも長いので、前記電源コード１５が床面Ｆに当たって屈曲しても、前記コードブッシュ２３部分が急激に屈曲することがない。このため、前記電源コード１５に大きなストレスが加わらない。なお、前記電源コード１５が前記排気口部１４の下方に入り込むことも起こり得る。しかしながら、前述した通り、前記脚部２５の突出寸法Ｌ３が前記電源コード１５の太さＬ４よりも長いので、この電源コード１５が前記排気口部１４と床面Ｆとで挟まれる虞を減ずることができる。即ち、前記電源コード１５が前記排気口部１４の下方に入り込んだとしても、前記電源コード１５が前記脚部２５同士の間の切欠部を通ることになる。特に、図１０に示すように、前記排気口部１４の下部に、前記脚部２５同士の間の切欠部が位置するので、前記電源コード１５が、その近くにある前記脚部２５同士の間の切欠部を通り易い。このように、前記電気掃除機２を置く際に、前記電源コード１５が破損しにくいようにすることができる。
【００２３】
次に、前記電気掃除機システム１の電気掃除機２の排気口部１４に前記アダプタ５０及びアタッチメント６０を取り付けて使用する場合について説明する。なお、前述した通り、前記アダプタ５０は、前記排気口部１４に対しバヨネット結合される。そして、前述した通り、前記第一係合凸部２６１が第一係合凹部５４１に、第二係合凸部２６２が第二係合凹部５４２に、第三係合凸部２６３が第三係合凹部５４３係合した状態でのみ、前記アダプタ５０が前記排気口部１４に取り付けられる。この際、前記アダプタ５０は、その受筒部５２の中心軸線Ｘ２が前記外殻体１３の中心軸線Ｘｂに対し前記把持部１２側である上方に偏った状態でしか取り付けられない。換言すると、前記アダプタ５０は、その受筒部５２の中心軸線Ｘ２が前記外殻体１３の中心軸線Ｘｂに対し、反電源コード１５側である上側に偏った状態でしか取り付けられない。
【００２４】
前記アダプタ５０の受筒部５２にパイプ状の前記延長パイプ６１を接続して使用する場合、使用者は、吸引掃除を行う場合とは前後逆に前記把持部１２を把持する。即ち、使用者は、前記排気口部１４が前となるように把持する。この状態で前記電動送風機３０を作動させると、前記導入路４２から吸引された気流は、前記電動送風機３０を経て前記排気口２４から前記電気掃除機２の外部に排出される。そして、前記電気掃除機２の外部に排出された気流は、前記アダプタ５０の取付部５１から受筒部５２を経て前記延長パイプ６１から噴出する。この噴出気流を用いて、使用者は地面等に散乱している落ち葉等の塵埃を吹き飛ばすことができる。
【００２５】
この際、噴出気流により、使用者の手に反動が生じる。しかしながら、前記アダプタ５０の受筒部５２の中心軸線Ｘ２が前記外殻体１３の中心軸線Ｘｂよりも前記把持部１２側、即ち使用者の手の側に偏っていることで、噴出気流の反動を使用者の手の近くで受けることになる。このため、噴出気流の反動を抑えて、安定して前記電気掃除機システム１を操作することができる。なお、前記受筒部５２に前記延長ホース６２を接続する場合、一方の手で前記把持部１２を、他方の手で前記延長ホース６２の先端を把持することになる。この場合、噴出気流による反動は、他方の手が受けることになる。また、前記受筒部５２に前記延長ホース６２を接続する場合、使用者は前記把持部１２をどのように把持してもよい。
【００２６】
また、前述した通り、前記アダプタ５０の受筒部５２の中心軸線Ｘ２が前記外殻体１３の中心軸線Ｘｂよりも反電源コード１５側に偏っていると共に、この電源コード１５が前記アダプタ５０よりも下方に位置するので、前記電源コード１５が前記アダプタ５０やアタッチメント６０に絡んでしまうことがない。従って、噴出気流を用いる掃除を良好に行うことができる。
【００２７】
不使用時に、又は一時的に噴出気流を用いる掃除を停止して、前記アダプタ５０やアタッチメント６０を取り付けたまま前記電気掃除機システム１を置く場合、図９に示すように、前記掃除機本体１０の脚部２１と前記集塵容器４０の脚部４３とが床面Ｆ等に接するように置く。なお、前記延長パイプ６１が前記受筒部５２に接続された状態では、前記延長パイプ６１が床面Ｆ等に接し、前記脚部２１が床面Ｆに接しない。従って、この場合、前記電気掃除機システム１を安定して置くことができないので、前記延長パイプ６１、又は前記アダプタ５０と延長パイプ６１の両方を前記排気口部１４から取り外す。一方、前記延長ホース６２が前記受筒部５２に接続されている場合、図９に示すように、ホース状の部分６２Ｈが屈曲するので、前記延長ホース６２を取り付けた状態のまま前記電気掃除機システム１を床面Ｆ等に置くことができる。そして、前記アダプタ５０の受筒部５２の中心軸線Ｘ２が前記外殻体１３の中心軸線Ｘｂよりも反上方に偏っているので、前記延長ホース６２の接続筒部６２Ｔが床面Ｆ等に接するのを防止することができる。これによって、前記アダプタ５０及び延長ホース６２を接続したまま、前記電気掃除機システム１を床面Ｆ等に安定して置くことができる。
【００２８】
以上のように本発明の電気掃除機システム１は、把持部１２及び排気口部１４を有する電気掃除機２と、流通面積が相対的に大きい入口部としての取付部５１と流通面積が相対的に小さい出口部としての受筒部５２とを有する排気利用アダプタ５０と、排気アタッチメント６０と、を有する電気掃除機システム１において、前記アダプタ５０の取付部５１が前記電気掃除機２の排気口部１４に接続され、前記アダプタ５０の受筒部５２に前記アタッチメント６０が接続されると共に、前記アダプタ５０が前記排気口部１４に取り付けられた状態で、前記取付部５１の第一中心Ｘ１に対し前記受筒部５２の第二中心Ｘ２が前記把持部１２側に偏心して設けられることで、排気の噴出位置を前記把持部１２の近くにすることができるので、噴出気流を利用する際に、この噴出気流による反動を抑えて安定して操作することができるものである。
【００２９】
また、本発明の電気掃除機システム１は、前記電気掃除機２の排気口部１２に、結合のための係合凸部２６１，２６２，２６３が複数形成され、前記アダプタ５０の取付部５１に、結合のための係合凹部５４１，５４２，５４３が複数形成されると共に、これら係合凹部５４１，５４２，５４３と係合凸部２６１，２６２，２６３とが不等間隔で設けられることで、前記受筒部５２が確実に前記把持部１２側に偏った状態で前記アダプタ５０を前記排気口部１４に取り付けることができるものである。
【００３０】
更に、本発明の電気掃除機システム１は、前記電気掃除機２が電源コード１５を有すると共に、前記アダプタ５０が前記排気口部１４に取り付けられた状態で、前記受筒部５２が反電源コード１５側に偏って設けられることで、前記電源コード１５が前記アタッチメント６０と絡みにくく、容易に操作することができるものである。
【００３１】
なお、本発明は以上の実施形態に限定されるものではなく、発明の要旨の範囲内で種々の変形実施が可能である。例えば、上記実施形態では、排気口部に係合凸部を、アダプタに係合凹部を設けたが、排気口部に係合凹部を、アダプタに係合凸部を設けてもよい。また、上記実施形態では、第一係合凸部と第二係合凸部と第三係合凸部の角度間隔を全て異ならせたが、要は排気口部とアダプタの位置関係が定まればよいので、第一係合凸部と第二係合凸部と第三係合凸部の角度間隔のうち、一つだけを異ならせるようにしてもよい。同様に、第一係合凹部と第二係合凹部と第三係合凹部の角度間隔を全て異ならせたが、第一係合凹部と第二係合凹部と第三係合凹部の角度間隔のうち、一つだけを異ならせるようにしてもよい。更に、取付部の第一中心軸線に対する受筒部の第二中心軸線の偏心量は、任意に設定可能である。例えば、上記実施形態では、第一中心軸線Ｘ１に沿って見た受筒部が、取付部の輪郭内に位置するが、受筒部が取付部の輪郭外に位置するような位置関係としてもよい。更にまた、上記実施形態では、取付部の第一中心軸線と受筒部の第二中心軸線とが平行であるが、取付部に対し受筒部を傾斜させてもよい。
【符号の説明】
【００３２】
１  電気掃除機システム
２  電気掃除機
１２  把持部
１４  排気口部
１５  電源コード
２６  係合凸部
２６１  第一係合凸部
２６２  第二係合凸部
２６３  第三係合凸部
５０  排気利用アダプタ
５１  取付部（入口部）
５２  受筒部（出口部）
５４  係合凹部
５４１  第一係合凹部
５４２  第二係合凹部
５４３  第三係合凹部
６０  排気アタッチメント
６１  延長パイプ（排気アタッチメント）
６２  延長ホース（排気アタッチメント）
Ｘ１  第一中心軸線
Ｘ２  第二中心軸線
【図１】
2019205547.tif 000003
【図２】
2019205547.tif 000004
【図３】
2019205547.tif 000005
【図４】
2019205547.tif 000006
【図５】
2019205547.tif 000007
【図６】
2019205547.tif 000008
【図７】
2019205547.tif 000009
【図８】
2019205547.tif 000010
【図９】
2019205547.tif 000011
【図１０】
2019205547.tif 000012
【図１１】
2019205547.tif 000013